(57)【特許請求の範囲】
【請求項１】
シリンダと、
該シリンダ内を摺動可能なピストンと、
該ピストンを上昇移動させるステムと、
該ステムと一体となるように取り付けられ前記ピストンを下降移動させるパイプシャフトと、
該パイプシャフトの上端に取り付けられたノズルヘッドと、
を備え、
前記シリンダ内の液を、前記ピストンで加圧し、前記パイプシャフト内空間を流通させて、前記ノズルヘッドのノズル口から前記液を吐出させるプッシュタイプディスペンサーであって、
前記ステムにはピストンを引き上げる前段階で、前記シリンダ内空間と前記パイプ内空間との間を封止するための封止径大部が設けられており、
前記ステムが、前記ピストンの押し上げ時に前記ピストンに当接する下当接部を有し、
前記パイプシャフトが、前記ピストンの押し下げ時に前記ピストンに当接する上当接部を有し、
前記下当接部が前記ピストンに当接しているときは、前記上当接部がピストンから乖離し、前記上当接部が前記ピストンに当接しているときは、前記下当接部がピストンから乖離しており、
前記封止径大部が前記下当接部より上方に形成されており、且つ、
前記封止径大部には、前記ピストンの押し上げ時に前記シリンダ内空間と前記パイプシャフト内空間との間の封止を解除する縦スリット溝が形成されており、
前記パイプシャフトが、前記シリンダ上端に取り付けたチャップリットを介してシリンダ内に案内されたものであるプッシュタイプディスペンサー。
【請求項２】
容器に取り付けられるキャップを更に備え、
前記シリンダが前記キャップに取り付けられている請求項１記載のプッシュタイプディスペンサー。
【発明の詳細な説明】
【技術分野】
【０００１】
本発明は、プッシュタイプディスペンサーに関し、更に詳しくは、シンプルな構造でありながら、十分に液だれを防止できるプッシュタイプディスペンサーに関する。
【背景技術】
【０００２】
容器内の液を吐出する装置としてディスペンサーが知られている。その中でも、ノズルヘッドを昇降移動させることにより、容器内の液をシリンダ内に吸引し、ピストンで加圧してノズルヘッドのノズル口から液を吐出させるプッシュタイプディスペンサーが知られている。
【０００３】
ところで、かかるプッシュタイプディスペンサーにおいては、液を吐出した後、ノズル口に液だれが生じる場合がある。この場合、ノズル口が液の乾燥固化により詰まってしまい吐出不良となる問題がある。
【０００４】
これに対し、液だれを防止するために、いわゆるバックサクション機構を備えたプッシュタイプディスペンサーが開発されている。
例えば、吐出完了後のポンプ室の拡張開始段階で、ノズル内の残留液をポンプ室側に引き込むバックサクション手段を備えるポンプ付き容器（例えば、特許文献１参照）、ノズルヘッドの上昇時、ピストンの上昇より遅れて二次弁が閉じるとともに、二次弁の閉鎖前での一次弁の開放を妨げることによって、ノズル、ピストン内の残留液をシリンダにバックサクションさせるプッシュタイプディスペンサー（例えば、特許文献２参照）、ピストンロッドの貫通路に、液体の吸引時に該貫通路を閉塞し、加圧時に液体中で浮遊して貫通路を開放する弁体を設け、前記貫通路と弁体との相互間に、該貫通路を閉塞するまでの弁体の動作を遅延させて該弁体からノズルに至るまでに残存する液体を貫通路及び／又はシリンダ内に呼び込む極僅かな隙間を形成した液体排出用ポンプ（例えば、特許文献３参照）、押し下げられたノズルヘッドが元の位置へと戻るとき、ノズル部内に溜まった液体を吸引するバックサクション機構とを備える液体吐出装置（例えば、特許文献４参照）等が種々知られている。
【先行技術文献】
【特許文献】
【０００５】
【特許文献１】特開平８−７１４６１号公報
【特許文献２】特開平９−２９０１８５号公報
【特許文献３】特開２００３−１３７３２９号公報
【特許文献４】特開２００７−５０３４３号公報
【発明の概要】
【発明が解決しようとする課題】
【０００６】
しかしながら、上記特許文献１〜４に記載のプッシュタイプディスペンサーにおいては、総じて構造が複雑となり、部品点数が増える欠点がある。
【０００７】
本発明は上記事情に鑑みてなされたものであり、シンプルな構造でありながら、十分に液だれを防止できるプッシュタイプディスペンサーを提供することを目的とする。
【課題を解決するための手段】
【０００８】
本発明者らは、上記課題を解決するため鋭意検討したところ、意外にも、ステムにシリンダ内空間とパイプシャフト内空間との間を封止する封止径大部を設けることにより、上記課題を解決し得ることを見出し、本発明を完成するに至った。
【０００９】
シリンダと、該シリンダ内を摺動可能なピストンと、該ピストンを上昇移動させるステムと、該ステムと一体となるように取り付けられ前記ピストンを下降移動させるパイプシャフトと、該パイプシャフトの上端に取り付けられたノズルヘッドと、を備え、前記シリンダ内の液を、前記ピストンで加圧し、前記パイプシャフト内空間を流通させて、前記ノズルヘッドのノズル口から前記液を吐出させるプッシュタイプディスペンサーであって、前記ステムにはピストンを引き上げる前段階で、前記シリンダ内空間と前記パイプ内空間との間を封止するための封止径大部が設けられており、前記ステムが、前記ピストンの押し上げ時に前記ピストンに当接する下当接部を有し、前記パイプシャフトが、前記ピストンの押し下げ時に前記ピストンに当接する上当接部を有し、前記下当接部が前記ピストンに当接しているときは、前記上当接部がピストンから乖離し、前記上当接部が前記ピストンに当接しているときは、前記下当接部がピストンから乖離しており、前記封止径大部が前記下当接部より上方に形成されており、且つ、前記封止径大部には、前記ピストンの押し上げ時に前記シリンダ内空間と前記パイプシャフト内空間との間の封止を解除する縦スリット溝が形成されており、前記パイプシャフトが、前記シリンダ上端に取り付けたチャップリットを介してシリンダ内に案内されたものであるプッシュタイプディスペンサーに存する。
【００１３】
本発明は、（２）容器に取り付けられるキャップを更に備え、前記シリンダが前記キャップに取り付けられている上記（１）記載のプッシュタイプディスペンサーに存する。
【発明の効果】
【００１４】
本発明のプッシュタイプディスペンサーによれば、封止径大部を設けるだけで、液だれを十分に防止することができる。すなわち、ピストンを引き上げる前段階で、封止径大部がシリンダ内空間とパイプシャフト内空間との間を封止することにより、パイプシャフト内空間が負圧となり、ノズル口先端の液が吸引されることになる。
したがって、上記プッシュタイプディスペンサーによれば、シンプルな構造でありながら、液だれを十分に防止できる。
【００１５】
本発明のプッシュタイプディスペンサーにおいては、下当接部がピストンに当接しているときは、上当接部がピストンから乖離しており、上当接部がピストンに当接しているときは、下当接部がピストンから乖離している場合、ピストンが動かない状態が生じるので、二次バルブを省略できるという利点がある。
【００１６】
本発明のプッシュタイプディスペンサーにおいては、封止径大部に縦スリット溝が形成されている場合、液が封止径大部を流通可能となるので、シリンダ内で圧縮された液が急に飛び出ることはない。また、瞬間的にパイプシャフト内空間を負圧とし、その後、負圧を解除することで、液だれに相当する分量の液のみノズル口からパイプシャフト内空間に流入し、その後、負圧が解除されることで、通常のピストンの昇降移動を行うことができる。
【図面の簡単な説明】
【００１７】
【図１】図１は、本実施形態に係るプッシュタイプディスペンサーの一例を示す側面図である。
【図２】図２は、本実施形態に係るプッシュタイプディスペンサーのシリンダ部分の拡大図である。
【図３】図３の（ａ）は、本実施形態に係るプッシュタイプディスペンサーの封止径大部の縦スリット溝を説明するための斜視断面図であり、（ｂ）は、本実施形態に係るプッシュタイプディスペンサーのステムを示す斜視図である。
【図４】図４の（ａ）〜（ｄ）は、本実施形態に係るプッシュタイプディスペンサーにおいてノズルヘッドの位置が上死点から下死点に到達するまでを段階的に示す断面図である。
【図５】図５の（ａ）〜（ｄ）は、本実施形態に係るプッシュタイプディスペンサーにおいて、図４の（ａ）のピストンの下突起円筒部と、ステムの下当接部とが嵌合された状態から、図４の（ｂ）のパイプシャフトの上当接部の先端と、ピストンとが当接された状態になるまでの工程を段階的に示す拡大断面図である。
【図６】図６の（ａ）〜（ｄ）は、本実施形態に係るプッシュタイプディスペンサーにおいてノズルヘッドの位置が下死点から上死点に到達するまでの工程を段階的に示す断面図である。
【図７】図７の（ａ）〜（ｄ）は、本実施形態に係るプッシュタイプディスペンサーにおいて、図６の（ａ）のパイプシャフトの上当接部の先端と、ピストンとが当接された状態から、図６の（ｂ）のピストンの下突起円筒部と、ステムの下当接部とが嵌合された状態になるまでの工程を段階的に示す拡大断面図である。
【発明を実施するための形態】
【００１８】
以下、必要に応じて図面を参照しつつ、本発明の好適な実施形態について詳細に説明する。なお、図面中、同一要素には同一符号を付すこととし、重複する説明は省略する。また、上下左右等の位置関係は、特に断らない限り、図面に示す位置関係に基づくものとする。更に、図面の寸法比率は図示の比率に限られるものではない。
【００１９】
図１は、本実施形態に係るプッシュタイプディスペンサーの一例を示す側面図である。
図１に示すように、プッシュタイプディスペンサー１００は、キャップ１と、キャップに取り付けられているシリンダ２と、シリンダ２内を摺動可能なピストン３と、該ピストン３を上昇移動させるステム４と、該ステム４と一体となるように取り付けられピストン３を下降移動させるパイプシャフト５と、パイプシャフト５の上端に取り付けられたノズルヘッド６と、シリンダ内空間１２に連通するようにバルブボール７を介して取り付けられたチューブ８と、を備える。
ここで、ステム４、パイプシャフト５及びノズルヘッド６は、一体となって昇降移動するようになっている。
また、パイプシャフト５は、シリンダ２上端に取り付けたチャップリット９を介してシリンダ内に摺動自在に案内されている。すなわち、ステム４は、パイプシャフト５によってシリンダ２内に摺動自在に案内されている。また、ノズルヘッド６の下端がチャップリット９に当接することにより、ステム４の下降が停止されるようになっている。
【００２０】
プッシュタイプディスペンサー１００は、容器５０の口部５１にキャップ１を螺着することにより、容器５０に固定される。
そして、ノズルヘッド６を押圧することにより、シリンダ内空間１２に貯留された液がピストン３で加圧され、パイプシャフト内空間１５を流通してノズルヘッド６のノズル口１６から液が吐出され、その状態からノズルヘッド６を開放するとバネＳの付勢力により、ノズルヘッド６が上昇すると共に、容器５０内の液がチューブ８に吸い上げられ、バルブボール７が開いて、シリンダ内空間１２に補填される。
【００２１】
図２は、本実施形態に係るプッシュタイプディスペンサーのシリンダ部分の拡大図である。
図２に示すように、プッシュタイプディスペンサー１００において、ピストン３は、シリンダ４内を摺動可能となるように設けられており、内方にステム４に当接される下突起円筒部１３と、パイプシャフト５に当接される上突起円筒部１４とを備える。
【００２２】
ステム４は、基軸部４ａと、基軸部４ａの先端に設けられた径大部４ｂとからなり、基軸部４ａがピストン３に挿通されている。
基軸部４ａにおいては、流通溝１１がその周囲に等間隔で設けられており、シリンダ内空間１２の液が該流通溝１１を流通してノズルヘッドに到達するようになっている。なお、本発明において、流通溝１１における空間もパイプシャフト内空間１５に含まれるものとする。
【００２３】
径大部４ｂにおいては、下方に向かってステム封止部２１が形成されており、かかるステム封止部２１がシリンダ２の底部３２に当接されることにより、封止可能となっている。
また、径大部４ｂの肩部には、ピストン３の押し上げ時にピストン３の下突起円筒部１３に当接する溝状の下当接部２２が設けられている。ここで、ピストン３の下突起円筒部１３とステム４の下当接部２２とは、互いに嵌合可能となっている。
さらに、径大部４ｂには、封止径大部２３がピストン３の内壁に面接触するように設けられている。このため、ピストン３を引き上げる前段階においては、シリンダ内空間１２と、パイプシャフト内空間１５との間が封止径大部２３によって封止されることになる。なお、封止径大部２３は、下当接部２２より上方に形成されている。
【００２４】
プッシュタイプディスペンサー１００においては、ピストンを引き上げる前段階で、封止径大部２３がシリンダ内空間１２とパイプシャフト内空間１５との間を封止することにより、その封止が維持された状態でノズルヘッド６を引き上げると、パイプシャフト内空間１５が拡大するので負圧となる。これにより、ノズル口１６先端の液が吸引されることになり、その結果、液だれを十分に防止することができる。
【００２５】
ここで、封止径大部２３には、ステム４の押し上げ時にシリンダ内空間１２とパイプシャフト内空間１５との間の封止を解除する縦スリット溝が形成されている。
図３の（ａ）は、本実施形態に係るプッシュタイプディスペンサーの封止径大部の縦スリット溝を説明するための斜視断面図であり、（ｂ）は、本実施形態に係るプッシュタイプディスペンサーのステムを示す斜視図である。
図３の（ａ）及び（ｂ）に示すように、封止径大部２３は、上端部２３ａと、上端部２３ａの下側に縦スリット溝２３ｂとを備える。
一方、封止径大部２３が当接されるピストン３の内壁は、テーパー状となっており、テーパー面の上端には、突起状の内壁突起部１０が設けられている。
これにより、ステム４の押し上げ時、封止径大部２３は、上記テーパー面に押し上げられながら内壁突起部１０に当接されることになる。
【００２６】
ここで、封止径大部２３の上端部２３ａがピストン３の内壁突起部１０と接しているときは、シリンダ内空間１２と、パイプシャフト内空間１５との間が封止される。また、封止径大部２３の縦スリット溝２３ｂがピストン３の内壁突起部１０と接しているときは、縦スリット溝２３ｂを液が流通可能となっているので、シリンダ内空間１２と、パイプシャフト内空間１５との間の封止が解除されることになる。なお、縦スリット溝２３ｂがピストン３の内壁突起部１０と接しているとき、上端部２３ａは押し上げられており、内壁突起部１０とは接していない。
【００２７】
このため、プッシュタイプディスペンサー１００においては、瞬間的にパイプシャフト内空間１５を大きくして負圧とし、液だれに相当する分量の液のみノズル口１６からパイプシャフト内空間１５に流入し、その後、負圧が解除されることで、通常のピストンの昇降移動を行うことができる。
【００２８】
図２に戻り、パイプシャフト５は、ピストン３の押し下げ時にピストン３に当接する突起状の上当接部３１を有する。
ここで、パイプシャフト５の上当接部３１の内壁と、ピストン３の上突起円筒部１４の外壁とは常に面接触している。すなわち、パイプシャフト５の上当接部３１の先端がピストン３に当接されているか否かに関わらずパイプシャフト５の上当接部３１と、ピストン３の上突起円筒部１４との間が封止されている。このため、ピストン３が動かない状態でパイプシャフト５を引き上げると、封止径大部２３がシリンダ内空間１２とパイプシャフト内空間１５との間を封止しているので、パイプシャフト内空間１５の距離Ｌが大きくなることにより、パイプシャフト内空間１５が負圧となる。
【００２９】
したがって、上記プッシュタイプディスペンサー１００によれば、封止径大部２３を設けるだけで、シンプルな構造でありながら、液だれを十分に防止できる。
【００３０】
次に、プッシュタイプディスペンサー１００の動きについて説明する。
図４の（ａ）〜（ｄ）は、本実施形態に係るプッシュタイプディスペンサーにおいてノズルヘッドの位置が上死点から下死点に到達するまでの工程を段階的に示す断面図である。
まず、図４の（ａ）に示すように、ノズルヘッド６が上死点に位置する場合、ピストン３の下突起円筒部１３と、ステム４の下当接部２２とは、嵌合することにより封止されている。この状態から、ノズルヘッド６を押し下げると、一体となっているステム４及びパイプシャフト５が降下し、図４の（ｂ）に示すように、パイプシャフト５の上当接部３１の先端と、ピストン３とが当接される。なお、このとき、まだピストン３の位置は変動しない。また、バルブボール７は、閉じられている。
【００３１】
図５の（ａ）〜（ｄ）は、本実施形態に係るプッシュタイプディスペンサーにおいて、図４の（ａ）のピストンの下突起円筒部と、ステムの下当接部とが嵌合された状態から、図４の（ｂ）のパイプシャフトの上当接部の先端と、ピストンとが当接された状態になるまでの工程を段階的に示す拡大断面図である。
【００３２】
図５の（ａ）に示すピストン３の下突起円筒部１３と、ステム４の下当接部２２との間が封止された状態から、ステム４を押し下げることにより、図５の（ｂ）に示すように、ピストン３の下突起円筒部１３と、ステム４の下当接部２２とによる封止が解除されると共に、シリンダ内空間１２の液がピストン３の下突起円筒部１３と、ステム４の下当接部２２との間を通って、矢印Ａに示すように、流通溝１１におけるパイプシャフト内空間１５に流入する。このとき、封止径大部２３は、ピストン３の内壁に接しているが、上述したように、封止径大部２３には縦スリット溝２３ｂが設けられているので、液は、縦スリット溝２３ｂを流通して流通溝１１におけるパイプシャフト内空間１５に到達する。
【００３３】
更に、ステム４を押し下げると、図５の（ｃ）に示すように、ピストン３の下突起円筒部１３と、ステム４の下当接部２２とによる封止は解除されているものの、封止径大部２３の上端部２３ａがピストン３の内壁突起部１０に接することになるので、封止径大部２３と、ピストン３との間が封止される。これにより、液は、瞬間的に流通しなくなる。
【００３４】
更に、ステム４を押し下げると、図５の（ｄ）に示すように、封止径大部２３と、ピストン３の内壁突起部１０とによる封止も解除されることになるので、シリンダ内空間１２の液がピストン３の下突起円筒部１３と、ステム４の下当接部２２との間、及び、封止径大部２３と、ピストン３との間を通って、矢印Ｂに示すように、流通溝１１におけるパイプシャフト内空間１５に流入する。
その後、更にステム４を押し下げると、図４の（ｂ）に示すように、パイプシャフト５の上当接部３１の先端がピストン３に当接される。
【００３５】
次に、図４の（ｂ）に示す状態から、ノズルヘッド６を更に押し下げると、パイプシャフト５の上当接部３１の先端とピストン３とが当接された状態が維持されるので、図４の（ｃ）に示すように、ステム４及びパイプシャフト５と共にピストン３も降下することになる。これによりシリンダ内空間１２の液が加圧され、該液は、パイプシャフト内空間１５を流通し、矢印Ｃに示すように、ノズル口１６から吐出される。
【００３６】
そして、ノズルヘッド６を下死点にまで押し下げると、図４の（ｄ）に示すように、ステム４の径大部４ｂに設けられたステム封止部２１が、シリンダ２の底部３２に当接され、ノズルヘッド６の下端がチャップリット９に当接される。このことにより、ステム４の下降が停止される。
また、このときシリンダ３も下死点に到達することになる。なお、液は、シリンダ３が下死点に到達するまで、矢印Ｄに示すように、ノズル口１６から吐出される。
【００３７】
図６の（ａ）〜（ｄ）は、本実施形態に係るプッシュタイプディスペンサーにおいてノズルヘッドの位置が下死点から上死点に到達するまでの工程を段階的に示す断面図である。
まず、図６の（ａ）に示すように、ノズルヘッド６が下死点に位置する場合、パイプシャフト５の上当接部３１の先端とピストン３とが当接されており、ステム４の径大部４ｂに設けられたステム封止部２１が、シリンダ２の底部３２に当接されている。なお、図６の（ａ）に示す状態は、図４の（ｄ）に示す状態と同じである。
【００３８】
この状態から、ノズルヘッド６を引き上げると（実際にはバネの復帰力により上昇する）、一体となっているステム４及びパイプシャフト５が上昇し、パイプシャフト５の上当接部３１の先端と、ピストン３とが乖離され、更にノズルヘッド６を引き上げると、図６の（ｂ）に示すように、ピストン３の下突起円筒部１３と、ステム４の下当接部２２との間が嵌合される。これにより、シリンダ内空間１２と、パイプシャフト内空間１５との間の封止が解除さ封止される。なお、このとき、ピストン３の位置は変動しない。
【００３９】
図７の（ａ）〜（ｄ）は、本実施形態に係るプッシュタイプディスペンサーにおいて、図６の（ａ）のパイプシャフトの上当接部の先端と、ピストンとが当接された状態から、図６の（ｂ）のピストンの下突起円筒部と、ステムの下当接部とが嵌合された状態になるまでの工程を段階的に示す拡大断面図である。
【００４０】
図７の（ａ）に示す状態から、ステム４を引き上げると、図７の（ｂ）に示すように、封止径大部２３の上端部２３ａがピストン３の内壁に当接する。そうすると、シリンダ内空間１２と、パイプシャフト内空間１５との間が封止される。
【００４１】
そして、更にステム４を引き上げると、封止径大部２３の上端部２３ａがピストン３の内壁を摺動することになる。すなわち、シリンダ内空間１２と、パイプシャフト内空間１５との間が封止された状態を維持したままステム４を引き上げることになるので、ピストン３の上突起円筒部１４の肩部底面とパイプシャフト５の先端との間の距離Ｌが拡大し、パイプシャフト内空間１５がその分大きくなるので、負圧となる。その結果、ノズル口１６先端の液が逆流し、矢印Ｅ（図６参照）に示すように、吸引されることになる。これにより、液だれを十分に防止することができる。
【００４２】
この状態から、更にステム４を引き上げると、図７の（ｃ）に示すように、封止径大部２３の縦スリット溝２３ｂがピストン３の内壁に当接されるようになる。そうすると、縦スリット溝２３ｂは、液が流通可能となっているので、シリンダ内空間１２と、流通溝１１との間の封止が解除される。すなわち、パイプシャフト内空間１５とシリンダ内空間１２との間が通じることになる。そうすると、パイプシャフト内空間１５が負圧になっていたのが解除される。
【００４３】
そして、更にステム４を引き上げると、図７の（ｄ）に示すように、ピストン３の下突起円筒部１３と、ステム４の下当接部２２とが嵌合される。これにより、再びシリンダ内空間１２と、パイプシャフト内空間１５との間が封止される。また、封止径大部２３においては、縦スリット溝２３ｂがピストン３の内壁突起部１０に当接された状態が維持される。なお。図７の（ｄ）は、図６の（ｂ）と同じである。
【００４４】
次に、図６の（ｂ）に示す状態から、ノズルヘッド６を引き上げると、ピストン３の下突起円筒部１３と、ステム４の下当接部２２とが嵌合された状態が維持されるので、図６の（ｃ）に示すように、ステム４及びパイプシャフト５と共にピストン３も上昇することになる。これによりシリンダ内空間１２が負圧になるので、バルブボール７が開放され、図示しない容器内の液が矢印Ｆに示すように、チューブ８を介してバルブボール７からシリンダ内空間１２に流入される。
【００４５】
そして、ノズルヘッド６を上死点にまで引き上げると、図６の（ｄ）に示すように、シリンダ３も上死点に到達し、シリンダ内空間１２には液が十分に貯留されることになる。
【００４６】
本実施形態に係るプッシュタイプディスペンサー１００においては、ステム４にシリンダ内空間１２とパイプシャフト内空間１５との間を封止する封止径大部２３を設けるだけで、液だれを十分に防止できる。
また、上述したように、下当接部２２がピストン３に当接しているときは、上当接部３１がピストン３から乖離しており、上当接部３１がピストン３に当接しているときは、下当接部２２がピストン３から乖離しているので、ピストン３が動かない状態が生じる。このため、これにより、二次バルブを省略できるという利点がある。
【産業上の利用可能性】
【００４７】
本発明のプッシュタイプディスペンサーは、ノズルヘッドを昇降移動させることにより、容器内の液を吐出する装置として好適に用いられる。本発明のプッシュタイプディスペンサーによれば、シンプルな構造でありながら、十分に液だれを防止できる。
【符号の説明】
【００４８】
１・・・キャップ
２・・・シリンダ
３・・・ピストン
４・・・ステム
４ａ・・・基軸部
４ｂ・・・径大部
５・・・パイプシャフト
６・・・ノズルヘッド
７・・・バルブボール
８・・・チューブ
９・・・チャップリット
１０・・・内壁突起部
１１・・・流通溝
１２・・・シリンダ内空間
１３・・・下突起円筒部
１４・・・上突起円筒部
１５・・・パイプシャフト内空間
１６・・・ノズル口
２１・・・ステム封止部
２２・・・下当接部
２３・・・封止径大部
２３ａ・・・上端部
２３ｂ・・・縦スリット溝
３１・・・上当接部
３２・・・底部
５０・・・容器
５１・・・口部
１００・・・プッシュタイプディスペンサー
Ｓ・・・バネ
【要約】      （修正有）【課題】シンプルな構造でありながら、十分に液だれを防止できるプッシュタイプディスペンサーを提供すること。【解決手段】シリンダ２と、該シリンダ２内を摺動可能なピストン３と、該ピストン３を上昇移動させるステム４と、該ステム４と一体となるように取り付けられ、ピストン３を下降移動させるパイプシャフト５と、パイプシャフト５の上端に取り付けられたノズルヘッドと、を備え、シリンダ２内の液を、ピストン３で加圧し、パイプシャフト内空間を流通させてノズルヘッドのノズル口から液を吐出させるプッシュタイプディスペンサー１００であって、ステム４にはピストン３を引き上げる前段階でシリンダ内空間１２とパイプシャフト内空間との間を封止するための封止径大部２３が設けられているプッシュタイプディスペンサー１００である。【選択図】図２【図１】
0004790077.tif 000002
【図２】
0004790077.tif 000003
【図３】
0004790077.tif 000004
【図４】
0004790077.tif 000005
【図５】
0004790077.tif 000006
【図６】
0004790077.tif 000007
【図７】
0004790077.tif 000008